(57)【要約】【課題】着脱自在なアタッチメントが装着された状態でも電池交換が容易な電子ペンを提供する。【解決手段】電子ペンは、発光部２７を有し、発光部２７の発光により指示位置を指し示す指示体２と、指示体２の発光部２７とは反対側に着脱自在に取り付けられるアタッチメント３と、を備える。指示体２は、発光部２７に電力を供給する電池２５と、前記電池を収納し、電池２５を交換するための開口部を有する筐体本体２２と、開口部を閉塞する電池蓋８と、を有し、アタッチメント３は、電池蓋８の少なくとも一部を覆うように指示体２に装着され、電池蓋８は、アタッチメント３から露出し、筐体本体２２に対する係合および係合の解除が可能な第１蓋体８１と、アタッチメント３に少なくとも一部が覆われるように筐体本体２２に係合し、第１蓋体８１の筐体本体２２に対する係合の解除によって、筐体本体２２に対する係合の解除が可能な第２蓋体８２と、を備える。【選択図】図３
2016018466.tif 000002
【特許請求の範囲】
【請求項１】
発光部を有し、前記発光部の発光により指示位置を指し示す指示体と、
前記指示体の前記発光部とは反対側に着脱自在に取り付けられるアタッチメントと、
を備え、
前記指示体は、
前記発光部に電力を供給する電池と、
前記電池を収納し、前記電池を交換するための開口部を有する筐体本体と、
前記開口部を閉塞する電池蓋と、
を有し、
前記アタッチメントは、前記電池蓋の少なくとも一部を覆うように、前記指示体に装着され、
前記電池蓋は、
前記アタッチメントから露出し、前記筐体本体に対する係合および係合の解除が可能な第１蓋体と、
前記アタッチメントに少なくとも一部が覆われるように前記筐体本体に係合し、前記第１蓋体の前記筐体本体に対する係合の解除によって、前記筐体本体に対する係合の解除が可能な第２蓋体と、
を備えることを特徴とする電子ペン。
【請求項２】
請求項１に記載の電子ペンであって、
前記第２蓋体は、前記筐体本体に対する前記第１蓋体の係合が解除された状態で、前記第１蓋体が前記筐体本体に係合されていた位置にスライド可能に前記筐体本体に係合されていることを特徴とする電子ペン。
【請求項３】
請求項２に記載の電子ペンであって、
前記アタッチメントは、
前記指示体に着脱自在で、前記指示体に装着された状態で前記第２蓋体の少なくとも一部を覆う連結部と、
前記連結部に着脱自在な延長部と、
を備え、
前記連結部は、前記第１蓋体が前記筐体本体に係合された状態で、前記第２蓋体の前記筐体本体に対する離間する方向の移動を規制することを特徴とする電子ペン。
【請求項４】
請求項２または請求項３に記載の電子ペンであって、
前記電池蓋は、前記第１蓋体と前記第２蓋体とを接続し、屈曲可能な接続部を備えることを特徴とする電子ペン。
【請求項５】
請求項４に記載の電子ペンであって、
前記接続部は、粘着材を有するシート材であり、前記粘着材により前記第１蓋体および前記第２蓋体に貼着されていることを特徴とする電子ペン。
【請求項６】
請求項５に記載の電子ペンであって、
前記シート材は、前記第１蓋体に貼着される第１貼着部と、前記第２蓋体に貼着される第２貼着部と、前記第１貼着部と前記第２貼着部とを繋ぐ幅狭部とを有し、
前記幅狭部は、前記第１貼着部と前記第２貼着部とが並設される方向に直交する方向のサイズが前記第１貼着部および前記第２貼着部のサイズより小さく、
前記粘着材は、前記第１貼着部および前記第２貼着部に設けられ、前記幅狭部には、設けられていないことを特徴とする電子ペン。
【請求項７】
請求項２に記載の電子ペンであって、
前記第２蓋体は、スライドされる方向において対称となる形状を有していることを特徴とする電子ペン。
【発明の詳細な説明】
【技術分野】
【０００１】
本発明は、電子ペンに関する。
【背景技術】
【０００２】
従来、プロジェクター等によってホワイトボード等の投写面に投写された画像に対して、図形や文字等を重ねて表示できるように、電子ペンを備えたシステムが知られている。このような電子ペンを備えたシステムは、電子ペンから発せられる信号を、例えば、プロジェクターが検知する。そして、プロジェクターが元の画像情報に信号の発信位置の軌跡に関する情報を重ねて投写することによって、投写面には、画像情報に電子ペンの軌跡が重なった重畳画像が投写される。
この電子ペンとして、筆記する際に用いられる筆記具に模した形状を有するものが提案されている（例えば、特許文献１参照）。
【０００３】
特許文献１に記載の電子ペンは、先端に配置された先端部材（キャップ）、赤外線を発する発光部、押圧スイッチ部、電池、外装筐体等を備え、外装筐体は、ケース本体、電池カバー等を備える。そして、電子ペンは、ユーザーに把持されて投写面に先端が押圧されることによって、先端部材が傾倒して押圧スイッチ部が動作することにより赤外線を発する。
【先行技術文献】
【特許文献】
【０００４】
【特許文献１】特開２０１３−４５２０６号公報
【発明の概要】
【発明が解決しようとする課題】
【０００５】
特許文献１に記載の電子ペンは、この電子ペンを操作するユーザーが投写面に対して離れた位置から操作できないため、この電子ペンに着脱自在となる接続部材を有する構成が考えられる。すなわち、ユーザーは、投写面に近い位置から操作する場合、接続部材を装着せずに電子ペンを使用し、投写面に遠い位置から操作する場合、接続部材を装着して電子ペンを使用できるように構成することが考えられる。
そして、接続部材を装着し、ユーザーが接続部材を把持して使用する場合には、電子ペンの先端部材の傾倒が不安定にならないように、電子ペンと接続部材とを強固に接続する必要がある。
しかしながら、特許文献１に記載の電子ペンでは、接続部材との接続を強固にするために、電子ペンと接続部材とが重なる量を大きくすると、電池カバーを覆うことになり、電池交換の度に接続部材を取り外す必要がある。そのため、電池交換の作業が煩雑になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子ペンは、発光部を有し、前記発光部の発光により指示位置を指し示す指示体と、前記指示体の前記発光部とは反対側に着脱自在に取り付けられるアタッチメントと、を備え、前記指示体は、前記発光部に電力を供給する電池と、前記電池を収納し、前記電池を交換するための開口部を有する筐体本体と、前記開口部を閉塞する電池蓋と、を有し、前記アタッチメントは、前記電池蓋の少なくとも一部を覆うように、前記指示体に装着され、前記電池蓋は、前記アタッチメントから露出し、前記筐体本体に対する係合および係合の解除が可能な第１蓋体と、前記アタッチメントに少なくとも一部が覆われるように前記筐体本体に係合し、前記第１蓋体の前記筐体本体に対する係合の解除によって、前記筐体本体に対する係合の解除が可能な第２蓋体と、を備えることを特徴とする。
【０００８】
この構成によれば、アタッチメントは、第２蓋体の少なくとも一部を覆うように指示体に装着される。これによって、指示体とアタッチメントとの重なる領域を広げ、指示体とアタッチメントとの接続を強固にすることが可能となる。よって、電子ペンは、指示体にアタッチメントが装着された状態で、ユーザーにアタッチメントが把持されて操作された場合でも、指示位置を確実に指し示すことが可能となる。
また、電池蓋は第１蓋体および第２蓋体を有し、アタッチメントが指示体に装着された状態で第１蓋体がアタッチメントから露出して配置される。そして、第１蓋体および第２蓋体は、上述したように筐体本体に係合している。これによって、第１蓋体および第２蓋体を順次筐体本体から取り外すことができるので、アタッチメントが指示体に装着された状態で電池の交換ができる。
したがって、使用シーンを広げて操作できると共に、アタッチメントが指示体に装着された状態で電池交換が容易な電子ペンの提供が可能となる。
【０００９】
［適用例２］上記適用例に係る電子ペンにおいて、前記第２蓋体は、前記筐体本体に対する前記第１蓋体の係合が解除された状態で、前記第１蓋体が前記筐体本体に係合されていた位置にスライド可能に前記筐体本体に係合されていることが好ましい。
【００１０】
この構成によれば、ユーザーは、筐体本体に対する第１蓋体の係合を解除させた後、第２蓋体をスライドさせるという簡単な操作で、第２蓋体を筐体本体から取り外すことができる。よって、簡素な構成、および簡単な操作で、アタッチメントが指示体に装着された状態で電池交換できる電子ペンの提供が可能となる。
【００１１】
［適用例３］上記適用例に係る電子ペンにおいて、前記アタッチメントは、前記指示体に着脱自在で、前記指示体に装着された状態で前記第２蓋体の少なくとも一部を覆う連結部と、前記連結部に着脱自在な延長部と、を備え、前記連結部は、前記第１蓋体が前記筐体本体に係合された状態で、前記第２蓋体の前記筐体本体に対する離間する方向の移動を規制することが好ましい。
【００１２】
この構成によれば、第１蓋体が筐体本体に対する係合が解除された状態で、第２蓋体がスライドできるように形成されていれば、第１蓋体が筐体本体に係合された状態で、筐体本体に対する離間する方向の移動を規制をするための構成を筐体本体や第２蓋体に設ける必要がない。よって、形状や、構成を複雑にすることなく第２蓋体や筐体本体を形成できるので、指示体の大型化や複雑な構造の抑制が可能となる。
【００１３】
［適用例４］上記適用例に係る電子ペンにおいて、前記電池蓋は、前記第１蓋体と前記第２蓋体とを接続し、屈曲可能な接続部を備えることが好ましい。
【００１４】
この構成によれば、ユーザーは筐体本体に対する第１蓋体の係合を解除した後、接続部を屈曲させ、第１蓋体を指示体の先端側に移動させることで、接続部を介して第１蓋体に接続されている第２蓋体を容易にスライドさせることができる。これによって、アタッチメントに少なくとも一部が覆われていて、操作しにくい状態の第２蓋体を直接触って操作しなくとも容易に第２蓋体を取り出し可能な位置に移動させて、第２蓋体を筐体本体から取り外すことができる。よって、電池蓋の着脱が容易となり、電池交換の作業性が向上する。
【００１５】
［適用例５］上記適用例に係る電子ペンにおいて、前記接続部は、粘着材を有するシート材であり、前記粘着材により前記第１蓋体および前記第２蓋体に貼着されていることが好ましい。
【００１６】
この構成によれば、接続部がシート材で構成されているので、簡単な製造で、また、接続部の厚みの増加を抑制して第１蓋体と第２蓋体とを接続することができる。
【００１７】
［適用例６］上記適用例に係る電子ペンにおいて、前記シート材は、前記第１蓋体に貼着される第１貼着部と、前記第２蓋体に貼着される第２貼着部と、前記第１貼着部と前記第２貼着部とを繋ぐ幅狭部とを有し、前記幅狭部は、前記第１貼着部と前記第２貼着部とが並設される方向に直交する方向のサイズが前記第１貼着部および前記第２貼着部のサイズより小さく、前記粘着材は、前記第１貼着部および前記第２貼着部に設けられ、前記幅狭部には、設けられていないことが好ましい。
【００１８】
この構成によれば、接続部は、幅狭部が設けられていない構成に比べ、幅狭部で容易に屈曲する。これによって、筐体本体に対する第１蓋体の係合を解除した後、接続部を容易に屈曲させ、第２蓋体を容易に取り出し可能な位置に移動させることが可能となる。
【００１９】
［適用例７］上記適用例に係る電子ペンにおいて、前記第２蓋体は、スライドされる方向において対称となる形状を有していることが好ましい。
【００２０】
この構成によれば、ユーザーは第２蓋体の取り付け方向を気にすることなく第２蓋体を筐体本体に装着することができる。
【図面の簡単な説明】
【００２１】
【図１】第１実施形態の電子ペンの外観を示す斜視図。
【図２】第１実施形態における指示体、およびアタッチメントにおける連結部を分解した斜視図。
【図３】第１実施形態の電子ペンの一部を示す断面図。
【図４】第１実施形態の連結部を指示体に装着する方法を説明するための斜視図。
【図５】第１実施形態における第１蓋体の斜視図。
【図６】第１実施形態における第２蓋体の斜視図。
【図７】第１実施形態における電池の交換手順を説明するための図。
【図８】第２実施形態における電子ペンの指示体を示す斜視図。
【図９】第２実施形態における接続部の模式図。
【図１０】第２実施形態における電池が交換される際の電池蓋が操作される手順を説明するための模式図。
【図１１】変形例における接続部の模式図。
【発明を実施するための形態】
【００２２】
（第１実施形態）
以下、本実施形態に係る電子ペンについて、図面を参照して説明する。
図１は、電子ペン１の外観を示す斜視図である。
電子ペン１は、図１に示すように、筆記具を模して形成された指示体２と、指示体２に着脱自在に構成されたアタッチメント３とを備える。アタッチメント３は、指示体２に着脱自在な連結部４、および連結部４に着脱自在な延長部７を備える。
【００２３】
指示体２の一方の端部には、筆記具のペン先に相当する先端を有する先端部材２１が設けられている。先端部材２１は、先端に向かう程細く形成されており、電子ペン１は、この先端部材２１が押圧されることによって傾倒し、赤外線による信号を発する。なお、以下では、説明の便宜上、指示体２において、先端部材２１の先端の側を「先端側」、先端側とは反対側を「後端側」として記載する。
【００２４】
アタッチメント３は、図１に示すように、連結部４および延長部７を備え、指示体２の後端側に着脱自在に取り付けられ、先端とは反対方向に延出している。
【００２５】
図は省略するが、電子ペン１は、図示しないプロジェクターおよびＰＣ（Personal Computer）とで、またはプロジェクター単体とで、プロジェクターによりホワイトボード等の投写面に投写される画像に対して、図形や文字等を重ねて表示できる表示システムを構成する。
例えば、プロジェクターは、投写面上で押圧された電子ペン１から発せられた赤外線を検知し、赤外線の発信位置の軌跡に関する情報をＰＣに送信する。ＰＣは、受信した情報に基づいて赤外線の発信位置の解析を行い、画像情報にこの発信位置の軌跡を示す線を重畳した重畳画像を生成し、この重畳画像の画像情報をプロジェクターに送信する。そして、プロジェクターは、電子ペン１の軌跡を示す線が反映されたこの重畳画像を投写面に投写する。
【００２６】
本実施形態の電子ペン１は、指示体２に連結部４が装着された状態で使用され、投写面に近い位置から使用される場合には、延長部７を連結部４に装着せずに使用し、投写面から離れた位置から使用される場合には、延長部７を連結部４に装着して延長部７を把持して書き込むことができるように構成されている。
【００２７】
〔指示体の主な構成〕
図２は、指示体２、およびアタッチメント３における連結部４を分解した斜視図である。図３は、電子ペン１の一部を示す断面図である。
指示体２は、図２に示すように、略中心を通る中心軸Ａｘ方向に延出し、前述したように、筆記具を模して形成されている。
指示体２は、図２、図３に示すように、先端部材２１に加え、筐体本体２２、発光部２７、スイッチ機構（図示省略）、回路ユニット２４、電池２５、電池端子２６、および電池蓋８を備え、発光部２７の発光により指示位置を指し示す。
【００２８】
先端部材２１は、赤外線が透過する部材で形成され、図２、図３に示すように、先端が曲面の略円錐形状を有し、内部が中空に形成されている。先端部材２１は、筐体本体２２に対し、傾倒可能に構成されている。
【００２９】
回路ユニット２４は、ＣＰＵ（Central Processing Unit）等の制御部（図示省略）を構成する素子等が実装された回路基板を有している。
発光部２７は、赤外線を発する発光ダイオード２７１を有し、この発光ダイオード２７１は、先端部材２１の内部に配置される。そして、発光ダイオード２７１は、先端部材２１の傾倒に応じてスイッチ機構が動作し、回路ユニット２４の制御部の指示に基づいて赤外線を発する。発光部から発せられた赤外線は、先端部材２１を透過して外部に射出される。
【００３０】
筐体本体２２は、図２に示すように、先端部材２１の外面に倣う形状を有し、円筒状に形成されている。筐体本体２２は、先端側から順にスイッチ機構、回路ユニット２４、および電池２５を収納するように形成されている。
筐体本体２２には、電池２５を交換するための開口部２２１が設けられ、この開口部２２１は、電池蓋８によって閉塞される。
【００３１】
また、筐体本体２２には、図２に示すように、後端側の外周面に、中心軸Ａｘに沿って膨出する膨出部２２２が形成されている。そして、この膨出部２２２には、ストラップ取付け用の挿通孔２２Ｈ（図４参照）が設けられている。この膨出部２２２は、連結部４を取り付けるための機能、および指示体２が机上等に載置された際に指示体２の転がりを防止する機能も有している。
【００３２】
電池２５は、発光部２７や回路ユニット２４に電力を供給する。本実施形態の電池２５は、単３型１本で構成されている。
電池端子２６は、電池２５のプラス側に接続されるプラス端子２６Ｐ、および電池２５のマイナス側に接続されるマイナス端子２６Ｍを有している。本実施形態では、プラス端子２６Ｐは、板状の部材で形成され、マイナス端子２６Ｍは、コイルバネで形成されている。そして、図３に示すように、プラス端子２６Ｐは、回路ユニット２４近傍に配置され、マイナス端子２６Ｍは、電池２５を挟んでプラス端子２６Ｐの反対側に配置される。
【００３３】
電池蓋８は、中心軸Ａｘに沿って配置される第１蓋体８１および第２蓋体８２を備える。
電池蓋８は、図３に示すように、連結部４が指示体２に装着されると、第１蓋体８１が連結部４から露出し、第２蓋体８２の後端側が連結部４に覆われる。後で詳細に説明するが、電池蓋８が第１蓋体８１および第２蓋体８２を有していることにより、連結部４が指示体２に装着された状態でも、電池蓋８の着脱および電池２５の交換ができるように構成されている。
【００３４】
〔アタッチメントの構成〕
アタッチメント３は、前述したように、連結部４および延長部７を備える。
先ず、連結部４について説明する。
連結部４は、指示体２と延長部７とを連結する機能を有し、指示体２の後端側に着脱自在に構成されている。
連結部４は、図２に示すように、内嵌部材５および外嵌部材６を備える。後で詳細に説明するが、連結部４は、指示体２が外嵌部材６および内嵌部材５にこの順で挿入された後、外嵌部材６が内嵌部材５に係合されて指示体２に装着される。
【００３５】
図４は、連結部４を指示体２に装着する方法を説明するための斜視図であり、（ａ）は指示体２が外嵌部材６に挿入された状態を示す図、（ｂ）は（ａ）に示す状態から指示体２が内嵌部材５に挿入された状態を示す図である。
内嵌部材５は、図４（ａ）に示すように、中心軸Ａｘを中心とする円筒状に形成されており、一方の端部には、指示体２の後端側が挿入される開口部５１が設けられ、他方の端部には、外周面が周囲より突出するフランジ部５２が設けられている。また、他方の端部の中央には、図３に示すように、中心軸Ａｘを中心とする金属製のナット５Ｎが配置されている。内嵌部材５は、本体が合成樹脂で形成され、この本体にナット５Ｎが圧入、あるいはインサート成形等により配置される。なお、合成樹脂や金属等の１つの材料で内嵌部材５を構成してもよい。
【００３６】
また、内嵌部材５の側面には、図４に示すように、開口部５１に繋がる案内用開口部５３が設けられている。案内用開口部５３の縁部は、中心軸Ａｘに沿って形成されており、内嵌部材５に指示体２が挿入される際に、指示体２の膨出部２２２が通過すると共に、内嵌部材５が外嵌部材６に挿入される際に、外嵌部材６を案内する機能を有している。
【００３７】
そして、内嵌部材５には、図４に示すように、この案内用開口部５３の対向する端面の内、一方の端面から他方の端面に向かって突出する係止用突起５Ｐが形成されている。この係止用突起５Ｐは、指示体２の膨出部２２２に設けられた挿通孔２２Ｈに挿入可能に形成されている。つまり、内嵌部材５は、指示体２の後端側が挿入された後、回転されることによって、図４（ｂ）に示すように、係止用突起５Ｐが挿通孔２２Ｈに挿入されるように形成されている。その結果、内嵌部材５は、指示体２に対して中心軸Ａｘ方向の移動が規制された状態となる。
【００３８】
外嵌部材６は、合成樹脂製で内嵌部材５が挿入されるように、中心軸Ａｘを中心とする円筒状に形成されており、図４に示すように、外周面から膨出する膨出部６１が形成されている。
膨出部６１は、後端側の縁部から中心軸Ａｘに沿って形成されており、ストラップ取付け用の挿通孔６１Ｈが設けられている。そして、膨出部６１の内面には、指示体２の膨出部２２２が挿入される溝、および内嵌部材５の案内用開口部５３に係合する突起（いずれも図示省略）が形成されている。なお、膨出部６１は、連結部４が装着された指示体２が机上等に載置された際の転がりを防止する機能も有している。
【００３９】
そして、指示体２に挿入されていた外嵌部材６は、後端側にスライドされて内嵌部材５が挿入される。説明を省略したが、内嵌部材５には、係合部が設けられており、外嵌部材６は、フランジ部５２に当接するまでスライドされると、この係合部によって、先端側への移動が規制される。また、外嵌部材６は、内嵌部材５が挿入される際に、内面に設けられた溝に指示体２の膨出部２２２が挿入され、指示体２に対する中心軸Ａｘを中心とする回転方向の移動が規制される。その結果、連結部４は、指示体２に装着された状態となる。
【００４０】
一方、指示体２に装着された連結部４を分解する場合には、先ず、外嵌部材６を先端側に押圧して内嵌部材５の係合部との係合を解除する。そして、内嵌部材５を回転させて、挿通孔２２Ｈから係止用突起５Ｐを抜出し、内嵌部材５を指示体２から取り外す。そして、外嵌部材６を指示体２から取り外す。
このように、連結部４は、内嵌部材５および外嵌部材６を移動させることにより、指示体２に対して着脱自在に構成されている。
【００４１】
そして、連結部４は、図３に示すように、第２蓋体８２の一部を覆うように指示体２に装着される。具体的に、連結部４は、中心軸Ａｘに沿う方向において、第２蓋体８２の後端側の略半分を覆い、その重なり量Ｋａは、第２蓋体８２の後端側の端部からの筐体本体２２と連結部４との重なり量Ｋｂと同程度になっている。すなわち、連結部４は、Ｋａ＋Ｋｂの重なり量を有して指示体２に装着される。また、電池２５は、後端側の一部が第２蓋体８２を介して連結部４に覆われることになる。
そして、電子ペン１は、指示体２に連結部４が装着され、連結部４に延長部７が装着されない短尺状態での使用、および連結部４に延長部７が接続された延長状態での使用ができるように構成されている。
【００４２】
次に延長部７について説明する。
延長部７は、連結部４に接続され、指示体２の先端とは反対方向に延出する。
延長部７は、図１に示すように、連結部４に接続される第１延出部７１、および第１延出部７１に接続される第２延出部７２を備える。
【００４３】
第１延出部７１は、パイプ状の部材、およびこの部材の一方の端部に設けられたネジ７１Ｓ（図３参照）、および他方の端部に設けられたナット（図示省略）を有している。ネジ７１Ｓは、図３に示すように、連結部４のナット５Ｎに螺合するように形成され、第１延出部７１のナットは、ネジ形状が連結部４のナット５Ｎのネジ形状と同じ形状に形成されている。
【００４４】
第２延出部７２は、パイプ状の部材、およびこの部材の一方の端部に設けられたネジ（図示省略）、および他方の端部に設けられたキャップ７２４（図１参照）を有している。第２延出部７２のネジは、第１延出部７１のナット、および連結部４のナット５Ｎに螺合するように形成されている。キャップ７２４は、第２延出部７２のパイプ状の部材の他方の開口部を閉塞し、ユーザーがこのパイプ状の部材の角部に触れないように形成されている。
【００４５】
第２延出部７２は、第１延出部７１と略同じ長さに形成されており、第１延出部７１の外径と同程度の外径を有する同径部７２１、同径部７２１の外径より大きな外径の把持部７２２、および同径部７２１と把持部７２２との間に位置し、把持部７２２の外径より大きな外径の中央部７２３を有している。
延長部７は、第２延出部７２のネジが第１延出部７１のナット、および連結部４のナット５Ｎに螺合するように形成されていることにより、連結部４に第１延出部７１、第２延出部７２の順で接続された長尺状態、および第１延出部７１を用いずに連結部４に第２延出部７２が直接、接続され、長尺状態より短い中間状態が可能に構成されている。
このように、電子ペン１は、連結部４に延長部７が接続されない短尺状態に加え、延長部７が接続された延長状態を有し、延長状態においては、中間状態、および長尺状態が可能に構成されている。
【００４６】
〔電池蓋の構成〕
電池蓋８は、前述したように、第１蓋体８１および第２蓋体８２を備える。
図２に示すように、第１蓋体８１および第２蓋体８２は、筐体本体２２の外面に倣う形状を有し、第１蓋体８１が第２蓋体８２の先端側に位置するように配置される。後で詳細に説明するが、電池蓋８は、筐体本体２２に装着された状態から、先ず第１蓋体８１が取り外された後、第２蓋体８２が中心軸Ａｘに沿う方向にスライドされて取り外される。
【００４７】
図５は、第１蓋体８１の斜視図であり、（ａ）は、外面側から見た図、（ｂ）は内面側から見た図である。
第１蓋体８１は、図５に示すように、平面視矩形状の本体部８１１、および本体部８１１の先端側となる１辺に設けられたフック部８１２を有している。
本体部８１１は、筐体本体２２の外面に倣う外面８１１ａ、および電池２５（図３参照）の外面と対向する内面８１１ｂを有している。
そして、本体部８１１のフック部８１２が設けられた１辺以外の３辺には、内面８１１ｂに倣い、外面より凹む突起部８１１ｃ，８１１ｄが設けられている。
突起部８１１ｃは、本体部８１１のフック部８１２とは反対側の端部に形成されている。突起部８１１ｄは、フック部８１２が設けられた辺に隣り合う辺となる両端部に形成されている。
【００４８】
フック部８１２は、筐体本体２２に係合可能に形成され、電池蓋８が筐体本体２２から取り外される際にユーザーに操作されることにより、筐体本体２２に対する係合が解除される。
フック部８１２は、断面形状が略Ｕ字状に形成されており、図５に示すように、Ｕ字状の一方の端部側を形成する板状部８１２Ｘ、およびＵ字状の他方の端部側を形成する板状部８１２Ｙを有している。
そして、板状部８１２Ｘの端部は、本体部８１１に繋がるように形成され、板状部８１２Ｙの端部には、ユーザーに操作される操作部８１２ａが設けられ、この操作部８１２ａの端面は、本体部８１１の外面８１１ａから飛び出さないように形成されている。そして、フック部８１２は、操作部８１２ａが本体部８１１側に押圧されると板状部８１２Ｙが本体部８１１に近づくように撓み、押圧が解除されると板状部８１２Ｙが元の位置に戻るように弾性を有している。
【００４９】
また、板状部８１２Ｙには、筐体本体２２に係合する一対の突起部８１２ｂが形成されている。一対の突起部８１２ｂは、操作部８１２ａの端面から所定の距離隔てて設けられ、操作部８１２ａが押圧される方向に直交する方向に突出している。
筐体本体２２には、図３に示すように、板状部８１２Ｙに当接する立壁２２３、操作部８１２ａを操作するためにユーザーの指が挿入可能な凹部２２４、および一対の突起部８１２ｂに係合する係合部（図示省略）が設けられている。
【００５０】
図６は、第２蓋体８２の斜視図であり、（ａ）は、外面側から見た図、（ｂ）は内面側から見た図である。
第２蓋体８２は、図６に示すように、平面視矩形状に形成され、筐体本体２２の外面に倣う外面８２ａ、および電池２５（図３参照）の外面と対向する内面８２ｂを有している。また、第２蓋体８２は、第２蓋体８２の中心軸Ａｘに沿う方向、つまり第２蓋体８２がスライドされる方向において対称となる形状を有し、中心軸Ａｘに沿う方向の大きさにおいて、第１蓋体８１の本体部８１１の大きさより小さく形成されている。
【００５１】
第２蓋体８２は、中心軸Ａｘに沿う方向の両端部に凹部８２ｃが設けられ、中心軸Ａｘに直交する方向の両端部に突起部８２ｄが設けられている。
凹部８２ｃは、外面８２ａに沿って形成されており、内面８２ｂより凹んでいる。突起部８２ｄは、断面形状が第１蓋体８１の突起部８１１ｄの断面形状と同形状に形成されている。なお、詳細な説明は省略するが、筐体本体２２には、第１蓋体８１の突起部８１１ｄおよび第２蓋体８２の突起部８２ｄと嵌合する凹部が形成されている。
【００５２】
また、第２蓋体８２には、図６（ａ）に示すように、外面８２ａから僅かに突出する帯状の規制部８２ｅ、および操作用の突起８２ｆが形成されている。
規制部８２ｅは、中心軸Ａｘに沿う方向における第２蓋体８２の中央に形成されており、外面８２ａに沿って形成されている。規制部８２ｅは、図３に示すように、連結部４における内嵌部材５の先端側の内面に対向する位置に設けられており、この内面と僅かな隙間を有するように形成されている。
【００５３】
突起８２ｆは、中心軸Ａｘに沿う方向における第２蓋体８２の両端部に形成されている。つまり、指示体２（筐体本体２２）に連結部４が装着された状態で、先端側の突起８２ｆは、連結部から露出し、後端側の突起８２ｆは、連結部４に覆われる。
【００５４】
電池蓋８は、連結部４が装着された筐体本体２２に対し、第２蓋体８２が嵌合された後、第１蓋体８１が嵌合され、図３に示すように、筐体本体２２に装着される。
具体的に、第２蓋体８２は、連結部４から露出する筐体本体２２の開口部２２１から突起部８２ｄと筐体本体２２の図示しない凹部とが嵌合するように筐体本体２２に載置され、後端側にスライドされる。その結果、第２蓋体８２は、規制部８２ｅが内嵌部材５の内面に近接して配置され、筐体本体２２に対して離間する方向の移動が規制される。なお、第２蓋体８２は、前述したように、中心軸Ａｘに沿う方向において対称に形成されているので、中心軸Ａｘに沿う方向のいずれの凹部８２ｃが後端側であっても筐体本体２２に装着される。
【００５５】
第１蓋体８１は、突起部８１１ｃが装着された第２蓋体８２の凹部８２ｃに係合された後、突起部８１１ｄが筐体本体２２の図示しない凹部と嵌合するように、フック部８１２側が筐体本体２２側に押圧されると、突起部８１２ｂが筐体本体２２の係合部に係合して、筐体本体２２に装着される。
【００５６】
次に、電池２５の交換手順について説明する。
図７は、電池２５の交換手順を説明するための図である。
ユーザーは次の手順を行うことによって、筐体本体２２に装着された電池２５を取り出すことができる。
図７（ａ）に示すように、電池蓋８が筐体本体２２に装着された状態から、操作部８１２ａを操作して筐体本体２２に対する係合を解除し、第１蓋体８１を筐体本体２２から取り外す。その結果、図７（ｂ）に示すように、電子ペン１は、電池２５の一部（先端側）が露出した状態となる。
【００５７】
次に、第２蓋体８２の露出している一方の突起８２ｆに指をかけ、第２蓋体８２をスライドさせ、図７（ｃ）に示すように、第１蓋体８１が筐体本体２２に係合されていた位置に第２蓋体８２を移動させる。そして、露出している第２蓋体８２を取り外すと、図７（ｄ）に示すように、第１蓋体８１のみが取り外された状態よりさらに電池２５の露出量が大きくなる。このように、第２蓋体８２は、第１蓋体８１の筐体本体２２に対する係合が解除されることによって、筐体本体２２に対する係合の解除が可能に構成されている。
【００５８】
次に、図７（ｅ）に示すように、電池２５の先端側（プラス側）を持ち上げると、電池２５はマイナス端子２６Ｍに付勢され、図７（ｄ）に示す状態よりさらに露出量が大きくなる。そして、斜め方向に電池２５を引き出すことにより筐体本体２２から電池２５を取り出すことができる。
【００５９】
ユーザーは、上述した手順とは逆の手順を行うことによって、電池２５を筐体本体２２に装着することができる。すなわち、図７（ｅ）に示すように、電池２５のマイナス側を連結部４の内側に位置する筐体本体２２の開口部２２１に挿入し、電池２５をマイナス端子２６Ｍ側に押圧し、プラス側をプラス端子２６Ｐに当接させる（図７（ｄ）参照）。
次に、第２蓋体８２を筐体本体２２に嵌合させ（図７（ｃ）参照）、第２蓋体８２を後端側にスライドさせる（図７（ｂ）参照）。次に、第１蓋体８１を前述したように筐体本体２２に装着する（図７（ａ））。
このように、電子ペン１は、指示体２（筐体本体２２）に連結部４が装着され、電池蓋８の一部が連結部に覆われた状態でも、第１蓋体８１、第２蓋体８２が順次操作されて電池２５の交換ができるように構成されている。
【００６０】
以上説明したように、本実施形態の電子ペン１によれば、以下の効果を得ることができる。
（１）連結部４は、第２蓋体８２の一部を覆い、Ｋａ＋Ｋｂの重なり量を有して指示体２に装着される。これによって、指示体２とアタッチメント３との接続を強固にすることが可能となる。よって、電子ペン１は、指示体２にアタッチメント３が装着された状態で、ユーザーにアタッチメント３が把持されて操作された場合でも、指示位置を確実に指し示すことが可能となる。
また、電池蓋８は、第１蓋体８１および第２蓋体８２を有し、連結部４が指示体２に装着された状態で電池２５の交換ができるように構成されている。
したがって、使用シーンを広げて操作できると共に、連結部４が指示体２に装着された状態で電池２５の交換が容易な電子ペン１の提供が可能となる。
【００６１】
（２）第２蓋体８２は、筐体本体２２に対する第１蓋体８１の係合が解除された状態で、第１蓋体８１が筐体本体２２に係合されていた位置にスライド可能に構成されている。これによって、ユーザーは、筐体本体２２に対する第１蓋体８１の係合を解除させた後、第２蓋体８２をスライドさせるという簡単な操作で、第２蓋体８２を筐体本体２２から取り外すことができる。よって、簡素な構成、および簡単な操作で、連結部４が指示体２に装着された状態で電池２５を交換できる電子ペン１の提供が可能となる。
【００６２】
（３）連結部４は、第１蓋体８１が筐体本体２２に係合された状態で、第２蓋体８２の筐体本体２２に対する離間する方向の移動を規制するように構成されている。これによって、形状や、構成を複雑にすることなく第２蓋体８２および筐体本体２２を形成できるので、指示体２の大型化や複雑な構造の抑制が可能となる。
【００６３】
（４）第２蓋体８２は、スライドされる方向において対称に形成されているので、ユーザーは第２蓋体８２の取り付け方向を気にすることなく第２蓋体８２を筐体本体２２に装着することができる。
【００６４】
（５）第２蓋体８２には、突起８２ｆが形成されているので、ユーザーはこの突起８２ｆに指をかけ、第２蓋体８２を容易に第１蓋体８１が装着されていた位置に移動させることができる。
【００６５】
（６）連結部４は、筐体本体２２に形成されているストラップ取付け用の挿通孔２２Ｈを利用して指示体２に装着されるように形成されている。これによって、連結部４を装着するための特別な形状を指示体２に設ける必要がないので、指示体２の大型化や複雑な構造の抑制が可能となる。
【００６６】
（７）延長部７は、第１延出部７１および第２延出部７２を備え、第２延出部７２のネジは、第１延出部７１のナット、および連結部４のナット５Ｎに螺合するように形成されている。これによって、電子ペン１は、短尺状態に加え、中間状態、および長尺状態を有しているので、使用できるシーンをより広げることが可能となる。
【００６７】
（第２実施形態）
第２実施形態に係る電子ペン１０について、図面を参照して説明する。以下の説明では、第１実施形態の電子ペン１と同様の構成および同様の部材には、同一符号を付し、その詳細な説明は省略または簡略化する。
図８は、本実施形態の電子ペン１０における指示体１２を示す斜視図である。
本実施形態の指示体１２における電池蓋１８は、第１蓋体８１、第２蓋体１８２、および第１蓋体８１と第２蓋体１８２とを接続する接続部８３を備える。また、第２蓋体１８２は、第１実施形態における第２蓋体８２の突起８２ｆ（図６参照）が設けられておらず、それ以外の形状は第２蓋体８２と同形状に形成されている。
【００６８】
接続部８３は、粘着材を有するシート材で形成され、図８に示すように、第１蓋体８１および第２蓋体１８２に跨って貼着される。
図９は、接続部８３の模式図であり、（ａ）は断面図、（ｂ）は平面図である。
接続部８３は、図９（ａ）に示すように、合成樹脂製のシート材８３１およびシート材８３１の一方の面に設けられた粘着材８３２を有している。
【００６９】
シート材８３１は、透明の部材で形成され、図９（ｂ）に示すように、第１貼着部８３ａ、第２貼着部８３ｂ、および第１貼着部８３ａと第２貼着部８３ｂとを繋ぐ幅狭部８３ｃを有している。
第１貼着部８３ａおよび第２貼着部８３ｂは、図９（ｂ）に示すように、幅のサイズ、すなわち第１貼着部８３ａと第２貼着部８３ｂとが並設される方向に直交する方向のサイズが略同一の矩形状に形成され、幅狭部８３ｃは、幅のサイズが第１貼着部８３ａおよび第２貼着部８３ｂの幅のサイズより小さく形成されている。
【００７０】
粘着材８３２は、第１貼着部８３ａおよび第２貼着部８３ｂに設けられ、幅狭部８３ｃには設けられていない。
そして、接続部８３は、図８に示すように、第１貼着部８３ａが第１蓋体８１に貼着され、第２貼着部８３ｂが第２蓋体１８２に貼着される。
接続部８３は、電池蓋１８が筐体本体２２に着脱される際に屈曲する。接続部８３は、幅狭部８３ｃを有し、この幅狭部８３ｃに粘着材８３２が設けられていないことにより、第１蓋体８１および第２蓋体１８２に跨って貼着された状態でも柔軟な屈曲が可能になっている。
【００７１】
図１０は、電池２５が交換される際の電池蓋１８が操作される手順を説明するための模式図であり、電池蓋１８近傍の電子ペン１０の断面図である。なお、図１０は、電池蓋１８の状態を明確にするために、電池端子２６等を省略した図である。
図１０（ａ）に示すように、電池蓋１８が筐体本体２２に装着された状態で、接続部８３は、屈曲されない状態で第１蓋体８１と第２蓋体１８２とを接続する。
電池蓋１８を取り外す場合には、第１実施形態の電子ペン１と同様に、先ず、第１蓋体８１のフック部８１２が操作され、筐体本体２２に対する係合が解除される。筐体本体２２に対する係合が解除されると、第１蓋体８１は、接続部８３で第２蓋体１８２に接続されているので、図１０（ｂ）に示すように、後端側を支点とするように回転可能となる。接続部８３は、第１蓋体８１が回転される程度に応じて屈曲する角度が変わる。
【００７２】
また、第１蓋体８１の筐体本体２２に対する係合が解除されると、第２蓋体１８２は、第１蓋体８１が装着されていた側（先端側）への移動が可能となる。そして、第１蓋体８１が先端側に移動されると、図１０（ｃ）に示すように、接続部８３で接続されている第２蓋体１８２も先端側に移動し、第２蓋体１８２全体が露出する開放状態となる。そして、この開放状態で、第１蓋体８１および第２蓋体１８２の取り出し、すなわち電池２５の取り出しが可能となる。
電池２５を筐体本体２２に装着する場合には、上述した手順とは逆の手順が行われる。
【００７３】
以上説明したように、本実施形態の電子ペン１０によれば、第１実施形態で述べた効果に加え、以下の効果を得ることができる。
（１）電池蓋１８は、第１蓋体８１と第２蓋体１８２とを接続し、屈曲可能な接続部８３を備える。これによって、連結部４に一部が覆われ、操作しにくい状態の第２蓋体１８２を直接触って操作しなくとも容易に第２蓋体１８２を取り出し可能な位置に移動させて、取り外すことができる。よって、電池蓋１８の着脱が容易となり、電池２５交換の作業性が向上する。
【００７４】
（２）接続部８３は、粘着材を有するシート材で構成されているので、簡単な製造で、また、接続部の厚みの増加を抑制して第１蓋体８１と第２蓋体１８２とを接続することができる。
【００７５】
（３）接続部８３には、第１貼着部８３ａおよび第２貼着部８３ｂより幅方向の大きさが小さく、粘着材８３２が設けられていない幅狭部８３ｃを有している。これによって、筐体本体２２に対する第１蓋体８１の係合を解除した後、接続部８３を容易に屈曲させ、第２蓋体１８２を容易に取り出し可能な位置に移動させることが可能となる。
【００７６】
（変形例）
なお、前記実施形態は、以下のように変更してもよい。
前記実施形態の延長部７は、第１延出部７１および第２延出部７２という着脱自在な２つの延出部を備えて構成されているが、１つあるいは着脱自在な３つ以上の延出部を備えるように構成してもよい。
【００７７】
第２実施形態における第２蓋体１８２は、一部が連結部４に覆われるように構成されているが、開放状態を有するように、第１蓋体８１および第２蓋体１８２の中心軸Ａｘに沿う方向の大きさが設定されていれば、第２蓋体１８２全てが連結部４に覆われるように構成してもよい。すなわち、第２蓋体１８２は、少なくとも一部が連結部４に覆われるように構成されている。
【００７８】
第２実施形態における接続部８３の形状を図１１に示す接続部１８３のような形状にしてもよい。
図１１は、接続部１８３を模式的に示す平面図である。
接続部１８３は、第１貼着部１８３ａ、第２貼着部１８３ｂ、および幅狭部１８３ｃを有している。幅狭部１８３ｃは、幅のサイズが第１貼着部１８３ａおよび第２貼着部１８３ｂの幅のサイズより小さく形成されている。そして、第１貼着部１８３ａおよび第２貼着部１８３ｂには、幅狭部１８３ｃの外形に沿って形成されたスリット１８３ｄが設けられ、スリット１８３ｄの端部は曲面加工が施されている。
これによって、接続部１８３は、屈曲された場合、幅狭部１８３ｃの基部への応力が分散するので、屈曲に対する耐久性が向上する。
また、第１貼着部１８３ａと第２貼着部１８３ｂとを対称形にすることで、第１蓋体８１、第２蓋体１８２に第１貼着部１８３ａおよび第２貼着部１８３ｂのいずれが貼着されてもいいので、接続部１８３の貼着作業の簡素化が可能となる。
【００７９】
第２実施形態における接続部８３は、粘着材を有するシート材で形成されているが、屈曲可能な部材で構成されていれば、これに限らない。例えば、屈曲可能な合成樹脂やエラストマー等を用いて第１蓋体と第２蓋体とを一体的に接続するように構成してもよい。
【００８０】
第２実施形態におけるシート材８３１に電子ペン１０の型番や定格、あるいは電池２５を交換する方法等を表記してもよい。
【符号の説明】
【００８１】
１，１０…電子ペン、２，１２…指示体、３…アタッチメント、４…連結部、７…延長部、８，１８…電池蓋、２２…筐体本体、２５…電池、２７…発光部、７１…第１延出部、７２…第２延出部、８１…第１蓋体、８２，１８２…第２蓋体、８３，１８３…接続部、８３ａ，１８３ａ…第１貼着部、８３ｂ，１８３ｂ…第２貼着部、８３ｃ，１８３ｃ…幅狭部、２７１…発光ダイオード、８３１…シート材、８３２…粘着材。
【図１】
2016018466.tif 000003
【図２】
2016018466.tif 000004
【図３】
2016018466.tif 000005
【図４】
2016018466.tif 000006
【図５】
2016018466.tif 000007
【図６】
2016018466.tif 000008
【図７】
2016018466.tif 000009
【図８】
2016018466.tif 000010
【図９】
2016018466.tif 000011
【図１０】
2016018466.tif 000012
【図１１】
2016018466.tif 000013